(57)【特許請求の範囲】
【請求項１】
ラマン増幅ノードにおいて、
光信号を伝達するためのプライマリ光ファイバと、
前記光信号が前記プライマリ光ファイバから経路変更されたときに、前記光信号を伝達するためのセカンダリ光ファイバと、
ポンプ光源パッケージとを備えていて、前記ポンプ光源パッケージは、
前記光信号が前記プライマリ光ファイバによって伝達されるときに、伝達される光信号のラマン利得を誘導するためのポンプ光を、前記プライマリ光ファイバに導入するための少なくとも１つのプライマリ光源と、
前記光信号が前記セカンダリ光ファイバによって伝達されるときに、伝達される光信号のラマン利得を誘導するためのポンプ光を、前記セカンダリ光ファイバに導入するための少なくとも１つのセカンダリ光源とを有していて、
更に、前記プライマリ光ファイバと前記セカンダリ光ファイバとの間で選択するための光スイッチを備えていて、前記光スイッチは、前記プライマリ光源および前記セカンダリ光源により導入されるポンプ光が前記光スイッチを通過しないように、前記プライマリ光源および前記セカンダリ光源により導入されるポンプ光の導入点の上流に配置されている
ことを特徴とするラマン増幅ノード。
【請求項２】
更に、増幅装置を備えていて、前記光スイッチは、前記増幅装置の入力または出力における光信号を経路変更するように構成されていて、最初に前記プライマリ光ファイバから来た光信号を前記セカンダリ光ファイバに経路変更するか、または、最初に前記セカンダリ光ファイバから来た光信号を前記プライマリ光ファイバに経路変更する
ことを特徴とする請求項１に記載のラマン増幅ノード。
【請求項３】
追加のプライマリ光源およびセカンダリ光源をさらに備える、請求項１または２に記載のラマン増幅ノード。
【請求項４】
前記プライマリ光源および前記セカンダリ光源ならびに前記光スイッチの動作を制御するように構成された制御装置をさらに備える、請求項１乃至３の何れかに記載のラマン増幅ノード。
【請求項５】
プライマリ・ラマン増幅部を備える、光信号を伝達するためのプライマリ光ファイバと、
セカンダリ・ラマン増幅部を備える、前記光信号が前記プライマリ光ファイバから経路変更されたときに前記光信号を伝達するためのセカンダリ光ファイバと、
前記光信号が前記プライマリ光ファイバによって伝達されるときは、ポンプ光を前記プライマリ光ファイバに放射して前記光信号のラマン利得を誘導するための、前記プライマリ光ファイバに接続された少なくとも１つのプライマリ光源と、
前記光信号が前記セカンダリ光ファイバによって伝達されるときは、ポンプ光を前記セカンダリ光ファイバに放射して前記光信号のラマン利得を誘導するための、前記セカンダリ光ファイバに接続された少なくとも１つのセカンダリ光源と、
を備える、ポンプ・ノードと、
前記プライマリ光ファイバと前記セカンダリ光ファイバとの間で選択するための光スイッチとを備えていて、前記光スイッチは、前記プライマリ光源および前記セカンダリ光源からのポンプ光が前記光スイッチを通過しないように、前記ポンプ・ノードの導入点の上流に配置されている
ことを特徴とする光装置。
【請求項６】
ラマン増幅ノードにおいて、光信号を伝達するプライマリ光ファイバとセカンダリ光ファイバの間で光路を切り替える方法であって、
前記プライマリ光ファイバに接続したプライマリ光源から前記プライマリ光ファイバにポンプ光を放射して前記プライマリ光ファイバ内の前記光信号のラマン利得を誘導するステップと、
前記ポンプ光が前記プライマリ光ファイバに接続されている位置の上流の位置で前記プライマリ光ファイバと前記セカンダリ光ファイバの間で前記光信号を切り替えることによって、前記光信号を前記セカンダリ光ファイバに経路変更するステップと、
前記セカンダリ光ファイバに接続したセカンダリ光源から前記セカンダリ光ファイバにポンプ光を放射して前記セカンダリ光ファイバ内の前記光信号のラマン利得を誘導するステップと
を含む、方法。
【請求項７】
前記セカンダリ光源が起動されるとき前記プライマリ光源は停止される、請求項６に記載の方法。
【請求項８】
出力が一方の光源から他方の光源に切り替えられている時間の間、前記セカンダリ光源は前記プライマリ光源と同時に起動される、請求項７に記載の方法。
【請求項９】
ラマン増幅ノードの制御装置により実行されたとき、光源パッケージに請求項６に記載の方法を実施させるコンピュータ読取可能コードを備える、コンピュータ・プログラム。
【請求項１０】
請求項９に記載のコンピュータ・プログラムが記憶されたコンピュータ読取可能媒体。
【発明の詳細な説明】
【技術分野】
【０００１】
本発明は光路切換えに関し、より具体的には、分布ラマン増幅を使用するときに光ファイバを切り替えることに関する。
【背景技術】
【０００２】
本明細書では、「光」という用語は、それが光学系において可視光だけでなく可視域外の波長を有する電磁放射も意味するように用いられるという意味で使用する。
【０００３】
光ネットワークでは、装置または動作スパン（ｏｐｅｒａｔｉｎｇ  ｓｐａｎ）の光ファイバが損傷した場合、その損傷を修復している間に別の経路にトラフィックを変更することが可能である。また、代替的な光送信経路を用いることにより、トラフィックに影響を及ぼすことなくシステム内の装置を更新することが可能である。これが、光ネットワークがメッシュまたはリングのトポロジで設計されることとなった理由の一部である。一部のネットワークでは、セカンダリ光ファイバを、通常の動作条件で使用されるプライマリ光ファイバとともに利用することができる。このセカンダリ光ファイバを、プライマリ光ファイバの保守またはプライマリ光ファイバが損傷したときの修復のような動作に使用することができる。
【０００４】
光ネットワークでは、ラマン増幅器を使用して経路の光信号の減衰を軽減することができる。ラマン増幅器とはラマン利得に基づく光増幅器である。ラマン利得は、誘導ラマン散乱の効果から得られる。通常は１つまたは複数のポンプ・レーザにより提供される共伝播ポンプ光および／または対向伝播ポンプ光を提供することにより、光信号が増幅される。ポンプ光の波長は、一般に、利得媒体としてシリカ光ファイバ中の標準的なＣバンド・チャネルを使用したときの信号波長よりも約１００ナノメータだけ短い。
【０００５】
光路切替えを使用すると、１つの光装置をプライマリ光ファイバとセカンダリ光ファイバの両方に使用することができる。なぜならば、別々の装置を用いるよりも、これらの光ファイバにおいて同一の装置に対して切り替えることができる方がより効率的だからである。図１は、光ネットワークにおける増幅ノード１００の略図である。増幅ノード１００は、ＥＤＦＡ（ｅｒｂｉｕｍ−ｄｏｐｅｄ  ｆｉｂｒｅ  ａｍｐｌｉｆｉｅｒ）のような増幅装置１０１に接続された光ファイバ１１０を備える。ＥＤＦＡ（ｅｒｂｉｕｍ−ｄｏｐｅｄ  ｆｉｂｒｅ  ａｍｐｌｉｆｉｅｒ）は、ラマン増幅器とともに使用することができる。スイッチ１０５は増幅ノード１００外部で光ファイバ１１０に接続され、プライマリ光ファイバ１０２とセカンダリ光ファイバ１０７の間で光路を切り替えるように構成されている。増幅ノード１００は、レーザ１０３、１０４のような１つまたは複数の光源を含むラマン・ポンプ・ユニット１２０を備える。レーザ１０３、１０４は対向伝播ポンプ光１１１を光ファイバ１１０に供給して、プライマリ光ファイバまたはセカンダリ光ファイバを通過する光信号１０８のラマン利得を誘導する。対向伝播光は光信号１０８と逆方向に伝播する。
【発明の概要】
【発明が解決しようとする課題】
【０００６】
分布ラマン増幅プロセスの最中は、非常に強い光強度が光ファイバ１１０に直接送信される。スイッチ１０５が図１の光増幅ノード１００外部に配置されているので、これにより、スイッチ１０５がレーザ１０３、１０４からの強い光強度に対処できることが必要である。さらに、スイッチ１０５は損失を招くので、プライマリ光ファイバまたはセカンダリ光ファイバで利用可能なポンプ強度が減少する。この配置構成はまた、レーザ１０３、１０４の脱分極に影響を及ぼし、レーザのＤＯＰ（Ｄｅｇｒｅｅ  ｏｆ  Ｐｏｌａｒｉｓａｔｉｏｎ）を増大させ、ラマン増幅プロセスの有効性を低下させる。さらに、この配置構成は、非常に強い光強度が使用される光ファイバ１０２、１０７においてまたはその付近で作業している作業員に対してリスクや安全性の問題をもたらす。
【０００７】
これらの問題に対する代替的な解決策は、スイッチを増幅ノード１００内部に配置することである。しかし、かかるケースでは、スイッチが依然として高い光強度をサポートする必要があり、利得が大幅に失われることとなるはずである。この配置構成ではまた、レーザに対して脱分極技術が必要となるはずである。当該脱分極技術は実現が困難であり、ＰＭ（ｐｏｌａｒｉｓａｔｉｏｎ  ｍａｉｎｔａｉｎｉｎｇ）スイッチを必要としうる。
【課題を解決するための手段】
【０００８】
したがって、プライマリ光ファイバとセカンダリ光ファイバを切り替えることにより生ずる光損失を削減し、レーザのＤＯＰ（Ｄｅｇｒｅｅ  ｏｆ  Ｐｏｌａｒｉｓａｔｉｏｎ）を維持することが望ましいはずである。
【０００９】
本発明の１態様によれば、光信号を伝達するプライマリ光ファイバと、当該信号がプライマリ光ファイバから経路変更されたときに当該光信号を伝達するためのセカンダリ光ファイバとを有する、ラマン増幅ノード向けの光源パッケージが提供される。当該光源パッケージは、光信号がプライマリ光ファイバにより伝達されるときに光をプライマリ光ファイバに放射して当該光信号のラマン利得を誘導するように、プライマリ光ファイバに接続された少なくとも１つのプライマリ光源を備える。当該パッケージはさらに、光信号がセカンダリ光ファイバにより伝達されるときに光をセカンダリ光ファイバに放射して当該光信号のラマン利得を誘導するように、セカンダリ光ファイバに接続された少なくとも１つのセカンダリ光源を備える。
【００１０】
当該少なくとも１つのプライマリ光源をプライマリ光ファイバのみに接続してもよく、少なくとも１つのセカンダリ光源をセカンダリ光ファイバのみに接続してもよい。
【００１１】
当該光源パッケージを、光をプライマリ光源またはセカンダリ光源の何れかから放射できるように構成してもよい。当該光源パッケージを、通常動作中は少なくとも１つのプライマリ光源が少なくとも１つのセカンダリ光源と同時に起動されないように構成してもよい。光源を、出力が一方の光源から他方の光源に切り替えられている比較的短時間の間、少なくとも１つのセカンダリ光源が少なくとも１つのプライマリ光源と同時に起動されるように構成してもよい。
【００１２】
プライマリ光源およびセカンダリ光源を、別々のチップもしくはストライプとして、または、同一チップ上の１組のストライプとして構成してもよい。
【００１３】
ラマン増幅ノードが上述の光源パッケージを備えてもよい。当該増幅ノードが、光信号をプライマリ光ファイバからセカンダリ光ファイバへまたはその反対へ経路変更するための光スイッチを備えてもよい。当該スイッチを、プライマリ光源およびセカンダリ光源が導入した光の導入点より上流に配置して、プライマリ光源およびセカンダリ光源が導入した光がスイッチを通過しないようにしてもよい。増幅ノードはさらに、プライマリ光源およびセカンダリ光源ならびにスイッチの動作を制御するように構成された制御装置を備えてもよい。
【００１４】
当該プライマリ光源およびセカンダリ光源がレーザを備えてもよい。
【００１５】
本発明の別の態様によれば、光信号を伝達するためのプライマリ光ファイバを備える光装置が提供される。当該プライマリ光ファイバは、プライマリ・ラマン増幅部を備える。当該光装置はさらに、光信号がプライマリ光ファイバから経路変更されたときに当該光信号を伝達するためのセカンダリ光ファイバを備える。当該セカンダリ光ファイバはセカンダリ・ラマン増幅部を備える。当該装置はさらに、光信号がプライマリ光ファイバにより伝達されるときに光をプライマリ光ファイバに放射して当該光信号のラマン利得を誘導するように、プライマリ光ファイバに接続された少なくとも１つのプライマリ光源を備えたポンプ・ノードを備える。当該ポンプ・ノードはさらに、光信号がセカンダリ光ファイバにより伝達されるときに光をセカンダリ光ファイバに放射して当該光信号のラマン利得を誘導するように、セカンダリ光ファイバに接続された少なくとも１つのセカンダリ光源を備える。
【００１６】
本発明の別の態様によれば、ラマン増幅ノードにおいて、光信号を伝達するプライマリ光ファイバとセカンダリ光ファイバの間で光路を切り替える方法が提供される。当該方法は、プライマリ光ファイバに接続されたプライマリ光源からプライマリ光ファイバに光を放射して当該プライマリ光ファイバ内の光信号のラマン利得を誘導するステップを含む。当該方法はさらに、光信号をセカンダリ光ファイバに経路変更し、セカンダリ光ファイバに接続されたセカンダリ光源からセカンダリ光ファイバに光を放射して、セカンダリ光ファイバ内の光信号のラマン利得を誘導するステップを含む。
【００１７】
当該プライマリ光源を、セカンダリ光源が起動されたときに停止してもよい。当該セカンダリ光源を、出力が一方の光源から他方の光源に切り替えられている比較的短時間の間、プライマリ光源と同時に起動してもよい。
【００１８】
本発明はまた、ラマン増幅ノードの制御装置により実行されたときに、光源パッケージを上述のように振る舞わせるコンピュータ読取可能コードを備えるコンピュータ・プログラムを提供する。
【００１９】
本発明の幾つかの好適な実施形態を、例としてのみ、添付図面を参照して説明する。
【図面の簡単な説明】
【００２０】
【図１】増幅ノードの略図である。
【図２】２つのプライマリ・レーザと２つのセカンダリ・レーザを有するラマン・ポンプ・ユニットを有する増幅ノードの略図である。
【図３】代替的な増幅ノードの略図である。
【図４】代替的な増幅ノードの略図である。
【図５】光装置の略図である。
【図６】光をプライマリ光ファイバおよびセカンダリ光ファイバに放射する際に必要なステップを示す流れ図である。
【発明を実施するための形態】
【００２１】
図２は、２つのプライマリ・レーザ２０３、２１２と２つのセカンダリ・レーザ２０４、２１３を有するラマン・ポンプ・ユニットを有する増幅ノード２００の略図である。ノード２００はスイッチ２０５を備える。スイッチ２０５は、場合によっては、ＥＤＦＡまたは他の増幅器２０１に接続される。当該ノードはまた、プライマリ光ファイバ２０２およびセカンダリ光ファイバ２０７を備える。スイッチ２０５は、プライマリ光ファイバ２０２およびセカンダリ光ファイバ２０７の間で光路を切り替えるように構成される。光信号２０８は、通常、プライマリ光ファイバ２０２を通る。しかし、保守プロセスまたは修復プロセスがプライマリ光ファイバ２０２に必要なときは、スイッチ２０５により、プライマリ光ファイバ２０２から増幅器２０２に来た光信号２０８を、セカンダリ光ファイバ２０７上を通して増幅器２０１に渡すことができる。レーザ２０３、２０４、２１２、２１３は対向伝播光２１０、２１１を光ファイバ２０２、２０７に供給することができる。プライマリ・レーザ２０３、２１２は光２１０をプライマリ光ファイバ２０２に導入するように構成され、セカンダリ・レーザ２０４、２１３は光をセカンダリ光ファイバ２０７に導入するように構成される。通常の動作条件（即ち、光信号２０８がプライマリ光ファイバ２０２を通じて送信されるとき）においては、プライマリ・レーザ２０３、２１２を起動して光をプライマリ光ファイバ２０２に導入する。何らかの保守プロセスまたは修復プロセスが必要で信号２０８がセカンダリ光ファイバ２０７を通じて送信されているとき、プライマリ・レーザ２０３、２１２を停止し、セカンダリ・レーザ２０４、２１３を起動して光をセカンダリ光ファイバ２０７に導入する。レーザの動作を、制御装置（図２では図示せず）により制御してもよい。スイッチ２０５は、レーザ２０３、２０４、２１３、２１４により光ファイバ２０２、２０７に導入された高強度の光がスイッチ２０５を通らないように、レーザの下流（光２０８の伝達方向）に配置される。このことは、導入されたポンプ光２１０、２１１の観点からは上流であるとも考えることができる。
【００２２】
プライマリ光ファイバ２０２およびセカンダリ光ファイバ２０７に対して別々のレーザを提供しているので、図１のケースのようにスイッチを増幅器システム２００の外部に設ける必要はない。図２の配置構成は、図１の配置構成で存在した高い光強度の損失やＤＯＰの劣化がないので有利である。しかし、４つのレーザ２０３、２０４、２１２、２１３を利用するので、この配置構成では余分な物理的空間が必要でありコストがかかる可能性がある。
【００２３】
図２の配置構成では、対向伝播光２１０、２１１を供給する４つのレーザ２０３、２０４、２１２、２１３を利用していることに留意されたい。しかし、共伝播光または対向伝播光を光ファイバ２０２、２０７に供給する任意数のレーザを使用することも可能であることは理解される（共ポンプ光は、光信号２０８が光ファイバ２０２、２０７を通るのと同じ方向に伝播する光である）。
【００２４】
図３は、ラマン・ポンプ・ユニット３２０を取り込んだ代替的な増幅ノード３００の略図である。図３の配置構成の多数の特徴は、図２の配置構成と同様な特徴、即ち、増幅装置３０１、プライマリ光ファイバ３０２およびセカンダリ光ファイバ３０７、ならびに光ファイバ３０２、３０７の間のスイッチ３０５を有する。しかし、レーザはこの配置構成とは異にして構成されている。増幅ノード３００は、２つのレーザ・パッケージ３１５および３１６を備える。各レーザ・パッケージ３１５、３１６は、レーザ・パッケージ３１５、３１６に統合されたプライマリ・レーザ３０３、３１２およびセカンダリ・レーザ３０４、３１３を備える。基本的に、２つのレーザ「ストライプ」がレーザ・パッケージに組み込まれている。レーザ・チップを含むレーザ、光連結器、熱管理、およびパッケージから成る設計が、この具体的な応用例を最も良くサポートする多様な変形である。例示的な実施形態では、単一の業界標準１４ピンのバタフライ・パッケージから出る２つの独立な光ファイバにより、単一のＴＥＣ（ｔｈｅｒｍｏ  ｅｌｅｃｔｒｉｃ  ｃｏｕｐｌｅｒ）接続のサブマウントに２つの独立な１４ＸＸレーザ・ストライプを組み込む。
【００２５】
図３では、レーザ３０３、３０４、３１２、３１３は対向伝播光３１０、３１１を光ファイバ３０２、３０７に導入するように構成される。両方のレーザ・パッケージ３１５、３１６のプライマリ・レーザ３０３、３１２は光３１０をプライマリ光ファイバ３０２に導入するように構成される。両方のレーザ・パッケージ３１５、３１６のセカンダリ・レーザ３０４、３１３は、光３１１をセカンダリ光ファイバ３０７に導入するように構成される。
【００２６】
図３の増幅ノード３００はまた、レーザ・パッケージ３１５、３１６およびスイッチ３０５に動作可能に接続された制御装置３５０を備える。制御装置３５０は、レーザおよびスイッチ３０５の動作を制御する。制御装置３５０は、通常動作中の任意の１時点で各レーザ・パッケージ３１５、３１６のレーザのうち１つのみが確実に起動されるようにし、どのようにレーザが切り替えられるかを制御する。例えば、プライマリ光ファイバが使用中のときは、両方のレーザ・パッケージ３１５、３１６のプライマリ・レーザ３０３、３１２が制御装置３５０によって起動される。保守プロセスまたは修復プロセスがプライマリ光ファイバ３０２に必要なときは、制御装置３００はスイッチ３０５を操作してセカンダリ光ファイバ３０７を通る光路を選択する。制御装置３５０はまた、両方のレーザ・パッケージ３１５、３１６のセカンダリ・レーザ３０４、３１３を起動し、プライマリ・レーザ３０３、３１２を停止する。
【００２７】
図３のレーザ・パッケージ３１５、３１６はまた、レーザ・チップの温度を制御するためのＴＥＣ３５５を備えてもよい。ラマン・ポンプ・ユニット３２０内に任意数のレーザ・パッケージが存在でき、ラマン・ポンプ・ユニット３２０内で各パッケージが少なくとも１つのプライマリ・レーザ・チップおよび少なくとも１つのセカンダリ・レーザ・チップを有しうることは理解される。また、任意数の光ファイバが増幅ノード３００内に存在でき、レーザが必要に応じて光をこれらの光ファイバのうち何れかに導入できることは理解される。
【００２８】
図３の配置構成は、パッケージのサイズが図２の配置構成で用いた個々のレーザより非常に小さいので有利である。２つのレーザ・チップを有するレーザ・パッケージを、「デュアル・チップ・ポンプ」と呼ぶことができる。このデュアル・チップ・ポンプの使用は従来のデュアル・チップ・ポンプとは異なる。なぜならば、通常使用中の任意の１時点で１つのレーザ・チップのみを起動すればよいからである。その結果、レーザ・パッケージ内のＴＥＣ３５５は、レーザ・パッケージ内の両方のレーザ・チップの温度を同時に制御するのではなく、任意の１時点で１つのレーザ・チップのみの温度を制御すればよい。さらに、（図１のケースのように）光スイッチを増幅ノード外部で使用するときよりも、切換え時間を大幅に高速化することができる。
【００２９】
図４は代替的な増幅ノード４００の略図である。図４の配置構成の多数の特徴は、図３の配置構成と同様な特徴、即ち、ラマン・ポンプ・ユニット４２０、増幅装置４０１、プライマリ光ファイバ４０２およびセカンダリ光ファイバ４０７、プライマリ光ファイバ４０２およびセカンダリ光ファイバ４０７の間のスイッチ４０５、レーザ・パッケージ４１５、４１６および各レーザ・パッケージ４１５、４１６内の２つのレーザ・チップ４０３、４０４、４１２、４１３を有する。しかし、各レーザ・パッケージ４１５、４１６のレーザ４０３、４０４、４１３、４１６は共伝播光４１０、４１１を光ファイバ４０２、４０７に導入するように構成されている。共伝播光４１０、４１１は、光ファイバ４０２、４０７を通る光信号４０８と同じ方向に伝播する。当該配置構成は、図３の配置構成を参照して論じたのと同じ利点を提供する。
【００３０】
図５は光装置５００の略図であり、どのように図４のポンプ・ユニットが実際にラマン増幅器とインタフェースするかを示す。当該光装置は、プライマリ・ラマン増幅部５５０を含むプライマリ光ファイバ５０２と、セカンダリ・ラマン増幅部５５１を含む光ファイバ５０７とを備える。当該装置５００はまた、ラマン増幅ノード５６０を備える。図５の増幅ノード５６０の多数の特徴は、図４の増幅ノード４００と同じ、即ち、ラマン・ポンプ・ユニット５２０、増幅装置５０１、プライマリ光ファイバ５０２およびセカンダリ光ファイバ５０７の間のスイッチ５０５、レーザ・パッケージ５１５、５１６および各レーザ・パッケージ５１５、５１６内の２つの共伝播レーザ・チップ５０３、５０４、５１２、５１３である。当該配置構成は、図３または図４の配置構成を参照して論じたのと同じ利点を提供する。
【００３１】
図６は、図３または図４の配置構成においてプライマリ光ファイバおよびセカンダリ光ファイバの間で光路を切り替える際に必要なステップの例を示す流れ図である。
【００３２】
６００：プライマリ光ファイバが光信号を伝達し、プライマリ・レーザが光をプライマリ光ファイバに放射する。
【００３３】
６０１：障害がプライマリ光ファイバにおいて発生し、または、プライマリ光ファイバの保守を実行するという決定がなされる。
【００３４】
６０２：スイッチが、光信号をプライマリ光ファイバからセカンダリ光ファイバに経路変更する。
【００３５】
６０３：制御装置が、プライマリ・レーザを停止し、セカンダリ・レーザを起動して光をセカンダリ光ファイバに放射する。
【００３６】
当該プロセスの最中に短時間、プライマリ・レーザを停止する前にセカンダリ・レーザを起動することも可能であることに留意されたい。これにより、光ファイバに沿ってラマン利得がより長く維持されるが、熱管理には慎重な注意が必要であるかもしれない。
【００３７】
以上の説明は、レーザの下流（光信号の伝達方向）にスイッチを有する配置構成に関することに留意されたい。しかし、ラマン増幅ノードがスイッチを有さなくともよいことは理解される。スイッチを（増幅ノード内ではなく）光ネットワーク内に配置して光信号を光ファイバの間で経路変更することも可能である。かかるケースでは、当該増幅ノードは単純にプライマリ光ファイバおよびセカンダリ光ファイバを備え、ラマン・ポンプ・ユニットのプライマリ・レーザまたはセカンダリ・レーザを必要に応じて起動して光をプライマリ光ファイバまたはセカンダリ光ファイバに導入する。
【００３８】
上述のように本発明を好適な諸実施形態の観点から説明したが、これらの諸実施形態は例示的なものにすぎず特許請求の範囲はこれらの諸実施形態には限定されないことは理解される。当業者は本開示を考慮して修正および代替を行うことができる。これらの修正および代替は、添付の特許請求の範囲に入ることが予定されている。本明細書で開示および説明した各特徴を、単体で、または、本明細書で開示または説明した他の任意の特徴と任意に適切に組み合わせて、本発明に組み込んでもよい。
【符号の説明】
【００３９】
１００  増幅ノード
１０１  増幅装置
１０２  プライマリ光ファイバ
１０３  レーザ
１０４  レーザ
１０５  スイッチ
１０７  セカンダリ光ファイバ
１０８  光信号
１１０  光ファイバ
１１１  対向伝播ポンプ光
【図１】
0006038817.tif 000002
【図２】
0006038817.tif 000003
【図３】
0006038817.tif 000004
【図４】
0006038817.tif 000005
【図５】
0006038817.tif 000006
【図６】
0006038817.tif 000007